(57)【要約】【課題】従来の閲覧では、データベースアクセス負荷が大きく、閲覧表示データの送信効率が悪いという問題点があったが、本発明は、情報提供側のメモリ容量を抑え、ユーザが閲覧を希望する銘柄について、効率よく情報を提供できる証券情報サービスシステムを提供する。【解決手段】サーバ端末１が、証券情報データベース１２と、ユーザ情報データベース１１とを備え、任意のユーザ端末３から希望サービス条件を有効期限と共に受け付けてユーザ情報データベース１１に記憶し、表示画面のテンプレートをユーザ端末に送信しておき、サービス条件に合致する証券情報を外部から取得する度に表示データの更新情報をユーザ端末３に送信し、ユーザ端末３が記憶している表示画面のテンプレートに表示データを組み込んで表示し、有効期限に達したサービス条件は削除される証券情報サービスシステムである。【選択図】　　　　図１
2004118333.tif 000002
【特許請求の範囲】
【請求項１】
証券情報サービスを提供する証券情報サービス装置と、インターネットを介して前記証券情報サービス装置から提供される証券情報サービスを受けて表示する複数のユーザ端末とから構成される証券情報サービスシステムであって、
前記証券情報サービス装置が、証券情報を記憶する証券情報データベースと、ユーザに関する認識情報及び前記ユーザ毎に登録された希望するサービス条件に関する登録情報をユーザ登録情報として記憶するユーザ情報データベースとを備え、任意のユーザ端末から希望するサービス条件を受け付けると、前記受け付けたサービス条件を前記ユーザ情報データベースに記憶すると共に、前記サービス条件で証券情報をサービスするための表示画面のテンプレートを作成して前記ユーザ端末に送信し、前記サービス条件に合致した証券情報を前記ユーザ情報データベースから取得して、表示データとして前記ユーザ端末に送信し、証券情報を外部から取得する際に、前記サービス条件に合致する証券情報を取得する度に表示データの更新情報を前記ユーザ端末に送信する証券情報サービス装置であり、前記ユーザ端末が、希望するサービス条件を入力して前記証券情報サービス装置に送信し、前記証券情報サービス装置から送信された表示画面のテンプレートと表示データを受信して記憶し、以降前記証券情報サービス装置から送信される表示データの更新情報を受信して前記表示データを更新記憶し、証券情報サービスの表示を行う際には、前記記憶されている表示画面のテンプレートに表示データを組み込んで表示するユーザ端末であることを特徴とする証券情報サービスシステム。
【請求項２】
ユーザ端末が、希望するサービス条件を有効期間と共に入力するユーザ端末であり、
証券情報サービス装置が、前記サービス条件を前記有効期間に基づく有効期限と共に管理し、前記有効期限に達したサービス条件をユーザ情報データベースから削除する証券情報サービス装置であることを特徴とする請求項１記載の証券情報サービスシステム。
【請求項３】
証券情報サービス装置が、ユーザ毎にアクセスの履歴を保持し、最後のアクセスから予め定めた特定期間を経過したユーザについて、前記ユーザに関するユーザ登録情報をユーザ情報データベースから削除する証券情報サービス装置であることを特徴とする請求項１又は請求項２記載の証券情報サービスシステム。
【発明の詳細な説明】
【０００１】
【発明の属する技術分野】
本発明は、インターネットを介した証券情報サービスシステムに係り、特に情報提供側のメモリ容量を抑え、効率よく情報を提供できる証券情報サービスシステムに関する。
【０００２】
【従来の技術】
近年のインターネットの普及やオンライン証券取引の普及とともに、証券会社等がインターネットを通じて個人投資家に株式、指標、投信等の証券情報やニュースを提供する金融・証券情報提供サービスが注目されている。
【０００３】
従来、証券情報サービス会社がインターネットの閲覧の仕組みを利用してユーザ（個人投資家など）に証券情報をサービスする場合には、一般的に以下のような方法で実現されていた。
ユーザは、ユーザ端末を立ち上げ、インターネットに接続して、証券情報サービス装置のサイト（ＵＲＬ）を指定すると、証券情報サービス装置に接続されて銘柄コードの入力用画面のＨＴＭＬ表示形式のファイルがユーザ端末に送信されて、銘柄コードの入力用画面が表示される。
【０００４】
そして、ユーザが閲覧したい指定銘柄の銘柄コードを入力すると、入力された銘柄コードが証券情報サービス装置に送信されて、証券情報サービス装置で当該銘柄コードをキーとして指定銘柄の株価情報を検索し、画面フォーマットに検索結果を組み込んだＨＴＭＬの表示形式のファイルを作成し、当該ＨＴＭＬファイルがユーザ端末に送信されて画面に表示される。
【０００５】
そして、別の指定銘柄について閲覧したいときは、再度銘柄コードの入力用画面に切り換えて、閲覧したい指定銘柄の別の銘柄コードを入力すると、入力された銘柄コードが証券情報サービス装置に送信されて、証券情報サービス装置で当該銘柄コードをキーとして指定銘柄の株価情報を検索し、再度画面フォーマットに検索結果を組み込んだＨＴＭＬの表示形式のファイルを作成して、当該ＨＴＭＬファイルがユーザ端末に送信されて画面に表示されるようになっている。
【０００６】
また、銘柄などの一覧を表示するような場合には、証券情報サービス装置から取引所、業種一覧等の画面のＨＴＭＬファイルがユーザ端末に送信されて画面に表示され、その中から取引所、業種等が指定入力されると、その指定情報が証券情報サービス装置に送信されて、証券情報サービス装置で当該取引所、業種等をキーとして検索し、画面フォーマットに検索結果を組み込んだＨＴＭＬの表示形式のファイルを作成して、当該ＨＴＭＬファイルがユーザ端末に送信されて画面に表示され、その中から銘柄が指定入力されると、その指定情報が証券情報サービス装置に送信されて、当該銘柄をキーとして指定銘柄の株価情報を検索し、再度画面フォーマットに検索結果を組み込んだＨＴＭＬの表示形式のファイルを作成して、当該ＨＴＭＬファイルがユーザ端末に送信されて画面に表示されるようになっている。
【０００７】
その結果、ｎ個の銘柄について表示（閲覧）したいときには、上記操作を×ｎ回（ｎ：銘柄数）する必要があり、また、ユーザが証券情報サービス装置にアクセスする度に、証券情報サービス装置とユーザ端末との間のデータ送受信が繰り返し行われることになる。
【０００８】
また、銘柄情報の閲覧と同様に、キーワードを含むニュースを閲覧する場合には、ユーザ端末からインターネットを介して証券情報サービス装置に接続し、証券情報サービス装置からキーワード検索用画面がユーザ端末に送信されて表示される。
そして、ユーザが閲覧したいニュースのジャンル等を指定し、更にキーワード等を入力すると、入力されたジャンル等の指定情報とキーワードが証券情報サービス装置に送信されて、証券情報サービス装置で当該キーワードをキーとしてニュースデータを検索し、画面フォーマットに検索結果のニュース情報を組み込んだＨＴＭＬの表示形式のファイルを作成して、当該ＨＴＭＬファイルがユーザ端末に送信されて画面に表示される。
そして、キーワードを切り換える場合には、上記操作を繰り返し行うことになる。
【０００９】
また、例えばユーザが売りたいと思っている株については「目標単価」というものを設定してもらい、その単価に到達したらあらかじめ登録してある電子メール・アドレスに「目標単価に達しました」というアナウンスを流すような「登録銘柄」と呼ばれるサービスも行われている。
【００１０】
尚、証券情報サービスの従来技術としては、平成１０年１２月４日公開の特開平１０−３２０４６９号「情報端末システム」（出願人：国際電気株式会社、発明者：依田　知也他）がある。
この従来技術は、予め登録された銘柄の株価情報とニュース情報を各々リアルタイムに送信して表示するリアルタイム表示モードと、株価推移グラフを表示し、グラフ上でポイントされた時点に対応するニュース情報を表示する統合表示モードを設け、モードを切り換えて表示する情報端末システムであり、これにより、株価動向調査の作業効率を向上できるものである。（特許文献１参照）。
【００１１】
【特許文献１】
特開平１０−３２０４６９号公報（第５−７頁、図１）
【００１２】
【発明が解決しようとする課題】
しかしながら、従来のインターネットを介した証券情報サービスシステムでは、定例的に閲覧を希望する銘柄コードやニュースのキーワードが同じであっても、その都度個別に銘柄等を指定して閲覧しなけれはならず、また閲覧したいデータを画面表示するまでの画面遷移が多く、繰り返し行う操作が面倒で効率が悪いという問題点があった。
【００１３】
また、検索結果の表示の度に、証券情報サービス装置でデータベースをアクセスし、画面フォーマットに検索結果を組み込んだＨＴＭＬの表示形式のファイルを作成して、当該ＨＴＭＬファイルがユーザ端末に送信されるので、データベースアクセスの負荷が大きく、閲覧表示データの送信効率が悪く、ネットワークの負荷も大きいという問題点があった。
【００１４】
本発明は上記実情に鑑みて為されたもので、情報提供側のメモリ容量を抑え、ユーザが閲覧を希望する銘柄について、効率よく情報を提供できる証券情報サービスシステムを提供することを目的とする。
【００１５】
【課題を解決するための手段】
上記従来例の問題点を解決するための本発明は、証券情報サービスを提供する証券情報サービス装置と、インターネットを介して証券情報サービス装置から提供される証券情報サービスを受けて表示する複数のユーザ端末とから構成される証券情報サービスシステムであって、
証券情報サービス装置が、証券情報を記憶する証券情報データベースと、ユーザに関する認識情報及びユーザ毎に登録された希望するサービス条件に関する登録情報をユーザ登録情報として記憶するユーザ情報データベースとを備え、任意のユーザ端末から希望するサービス条件を受け付けると、受け付けたサービス条件をユーザ情報データベースに記憶すると共に、サービス条件で証券情報をサービスするための表示画面のテンプレートを作成してユーザ端末に送信し、サービス条件に合致した証券情報をユーザ情報データベースから取得して、表示データとしてユーザ端末に送信し、証券情報を外部から取得する際に、サービス条件に合致する証券情報を取得する度に表示データの更新情報をユーザ端末に送信する証券情報サービス装置であり、
ユーザ端末が、希望するサービス条件を入力して証券情報サービス装置に送信し、証券情報サービス装置から送信された表示画面のテンプレートと表示データを受信して記憶し、以降証券情報サービス装置から送信される表示データの更新情報を受信して表示データを更新記憶し、証券情報サービスの表示を行う際には、記憶されている表示画面のテンプレートに表示データを組み込んで表示するユーザ端末であることを特徴とするものなので、ユーザが閲覧を希望する銘柄について、効率よく情報を提供できる。
【００１６】
上記従来例の問題点を解決するための本発明は、上記本発明の証券情報サービスシステムにおいて、ユーザ端末が、希望するサービス条件を有効期間と共に入力するユーザ端末であり、
証券情報サービス装置が、サービス条件を有効期間に基づく有効期限と共に管理し、有効期限に達したサービス条件をユーザ情報データベースから削除する証券情報サービス装置であることを特徴とするものなので、情報提供側のメモリ容量を抑えることができる。
【００１７】
上記従来例の問題点を解決するための本発明は、上記本発明の証券情報サービスシステムにおいて、証券情報サービス装置が、ユーザ毎にアクセスの履歴を保持し、最後のアクセスから予め定めた特定期間を経過したユーザについて、ユーザに関するユーザ登録情報をユーザ情報データベースから削除する証券情報サービス装置であることを特徴とするものなので、情報提供側のメモリ容量を抑えることができる。
【００１８】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１９】
本発明に係る証券情報サービスシステムは、ユーザ端末が、希望するサービス条件を入力して証券情報サービス装置に送信し、証券情報サービス装置が、証券情報を記憶する証券情報データベースと、ユーザに関する認識情報及び前記ユーザ毎に登録された希望するサービス条件に関する登録情報をユーザ登録情報として記憶するユーザ情報データベースとを備え、任意のユーザ端末から希望するサービス条件を受け付けてユーザ情報データベースに記憶すると共に、表示画面のテンプレートを作成してユーザ端末に送信し、サービス条件に合致した証券情報をユーザ情報データベースから取得して、表示データとしてユーザ端末に送信し、ユーザ端末が証券情報サービス装置から送信された表示画面のテンプレートと表示データを受信して記憶し、証券情報サービス装置が、証券情報を外部から取得する際に、サービス条件に合致する証券情報を取得する度に表示データの更新情報をユーザ端末に送信し、ユーザ端末が表示データの更新情報を受信して表示データを更新記憶し、証券情報サービスの表示を行う際には、記憶されている表示画面のテンプレートに表示データを組み込んで表示するものなので、予め登録されたサービス条件に関する証券情報を効率よく提供してユーザ端末に表示できるものである。
【００２０】
また、本発明に係る証券情報サービスシステムは、ユーザ端末が、希望するサービス条件を有効期間と共に入力し、証券情報サービス装置が、サービス条件を有効期間に基づく有効期限と共に管理し、有効期限に達したサービス条件をユーザ情報データベースから削除し、またユーザ毎にアクセスの履歴を保持し、最後のアクセスから予め定めた特定期間を経過したユーザについて、ユーザ登録情報をユーザ情報データベースから削除するものなので、証券情報サービスシステムのメモリ容量を抑え、効率よく情報を提供できるものである。
【００２１】
尚、請求項における証券情報サービス装置が図１のサーバ端末１に相当している。
【００２２】
まず、本発明の実施の形態に係る証券情報サービスシステムの概略システム構成について、図１を使って説明する。図１は、本発明の実施の形態に係る証券情報サービスシステムの概略構成ブロック図である。
本実施の形態の証券情報サービスシステムは、図１に示すように、大きくサーバ端末１と、複数のユーザ端末３と、サーバ端末１と複数のユーザ端末３とを接続する通信ネットワークであるインターネット２とから構成されている。
【００２３】
サーバ端末１は、証券情報サービスを提供する側の情報サービス装置として稼動するコンピュータであり、インターネット２に接続されている。
ユーザ端末３は、株式、指標、投信、ニュース情報を閲覧するユーザが操作するコンピュータのことであり、インターネットに接続されて証券情報サービス装置にアクセスして証券情報サービスを受ける側として動作するものである。
【００２４】
そして、サーバ端末１は、その内部にユーザ情報データベース１１と、証券情報データベース１２と、表示テンプレートファイル１３と、表示データファイル１４と、送受信部１５と、証券情報受信サーバ１６と、証券情報サービスサーバ１７と、電子メールサーバ１８とを備えている。
【００２５】
尚、図１では、サーバ端末１が一台のコンピュータで、各種サーバ機能や各種データベースなどの全ての機能をその中に持たせて構成するような図となっているが、このように構成してもよいし、各機能をネットワークで結合された複数台のコンピュータに分散して配置するようにして、これら複数台のコンピュータの集合によって全体構成するようにしてもよい。
【００２６】
また、各ユーザ端末３は、その内部に表示テンプレートファイル３３と、表示データファイル３４と、送受信部３５と表示用プログラム３６と、表示用ブラウザ３７と、電子メール機能３８とを備えている。
【００２７】
まず、本発明の証券情報サービスシステムにおけるサーバ端末１内の各部について説明する。
ユーザ情報データベース１１は、証券情報サービスを受けるユーザに関する各種情報（ユーザ情報と呼ぶ）を管理するユーザ登録情報ファイルを記憶しているデータベースである。
ユーザ登録情報ファイルは、ユーザＩＤをキーとして、個々のユーザにとって有用な様々な情報が管理されており、その内容はユーザ毎の登録操作によって入力され登録されたユーザの識別情報と希望するサービスの具体的な内容等が記憶されて管理されている。
【００２８】
ここで、ユーザ情報データベース１１に記憶されるユーザ登録情報ファイルの具体的な記憶内容例について、図２を使って説明する。図２は、本発明のユーザ登録情報ファイルの記憶内容例を示すフォーマット図である。
本発明のユーザ登録情報ファイルは、複数のユーザ（図２では、ｎ個）に関する情報を記憶し、各ユーザについて、管理ＩＤ、ユーザＩＤ、ユーザ名、パスワード、クッキー情報、アクセス履歴、メールアドレス、表示テンプレート作成種別（テンプレートファイル名）、複数のサービス条件登録情報が記憶される。
尚、表示テンプレートがサービス条件毎に異なる場合には、表示テンプレート作成種別をサービス条件登録情報の中に含めるようにしてもよい。
【００２９】
ここで、本発明の特徴は、各ユーザ毎にアクセス履歴を記憶し、最終アクセスから予め定めた特定期間を経過した場合には、当該ユーザ情報をユーザ情報データベース１１から削除されるようになっている点である。
【００３０】
そして、各サービス条件登録情報は、株式、指標、投信、ニュース等の分類と、銘柄名やキーワード等の検索条件に相当する検索キーと、銘柄コードと、高い方と安い方の通知価格設定値と、当該登録情報の有効期限と、メール通知識別子等が記憶される。
【００３１】
ここで、本発明の特徴は、各希望サービス登録情報毎にユーザ入力による有効期間に基づく有効期限を記憶し、サーバ端末１において、有効期限が切れた希望サービス登録情報は、ユーザ情報データベース１１から削除されるようになっている点である。尚、ユーザ入力されるのは、有効期限であっても良い。
【００３２】
証券情報データベース１２は、外部より取り込む証券情報を、株式情報、指標情報、投信情報、ニュース情報のカテゴリ別にキーを持ち格納してあるデータベースである。証券情報データベースには証券情報サービス装置により有用な様々な情報が管理されている。
【００３３】
表示テンプレートファイル１３は、株式、指標、投信、ニュース情報等の表示画面の表示フォーマットをＨＴＭＬ形式で記載したデータ（テンプレート）を記憶するファイルであり、登録されているユーザ毎に管理され、更にユーザ登録情報毎に１つ、又は複数のユーザ登録情報に基づいて一覧表示するためのテンプレートが記憶されているものである。このテンプレートには、後述する表示データファイルへのリンクがはられていて、表示データが埋め込まれて表示できるようになっている。
尚、個々のテンプレートファイルに対しては、ユーザ情報データベース１１で有効期限が関連付けられており、有効期限までの間に変更が生じると更新され、有効期限が切れると後述する証券情報サービスサーバ１７によって削除されるように管理されている。
【００３４】
表示データファイル１４は、表示画面に埋め込まれる検索結果の表示データを記憶するファイルであり、登録されているユーザ毎に管理され、更にユーザ登録情報毎に最新の検索結果による表示データがバイナリ形式またはテキスト形式で記憶されているものである。この表示データファイルには、前述のテンプレートファイルからリンクがはられていて、テンプレートに表示データが埋め込まれて表示できるようになっている。
尚、個々の表示データファイルに対しては、ユーザ情報データベース１１で有効期間が関連付けられており、有効期限までの間に変更が生じると更新され、有効期限が切れると後述する証券情報サービスサーバ１７によって削除されるように管理されている。
【００３５】
送受信部１５は、インターネット２と接続して、データの送受信を行うもので、特に本発明の特徴的な機能を実現するために、証券情報サービスを供給する閲覧サイト（ＵＲＬ）としてのデータの送受信、及び電子メールの送信を行うものである。
【００３６】
証券情報受信サーバ１６は、専用線などを介して外部のセンタなどから配信される証券情報を受信し、証券情報データベース１２に格納するためのサーバである。
【００３７】
証券情報サービスサーバ１７は、証券情報サービスを供給する閲覧サイト（ＵＲＬ）としての機能と、ユーザ情報データベース１１、証券情報データベース１２とのデータ取得、データ格納を行いながら、証券情報サービスの制御を行うものサーバである。
具体的に証券情報サービスサーバ１７は、主に、証券情報サービスのユーザ登録処理と、希望サービス条件登録処理と、表示データ送信処理と、通知メール送信制御処理と、ユーザ情報管理処理を行う。
尚、各処理の詳細は、後述する。
【００３８】
電子メールサーバ１８は、ユーザのメールアドレスに電子メールを送信する一般的なメールサーバである。
【００３９】
次に、本発明の証券情報サービスシステムにおけるユーザ端末３内の各部について説明する。
表示テンプレートファイル３３は、ユーザがサーバ端末１に対して登録した希望サービスに対応し、サーバ端末１から送信された表示画面の表示フォーマットをＨＴＭＬ形式で記載したデータ（テンプレート）を記憶するファイルであり、表示データファイルへのリンクがはられている。
【００４０】
表示データファイル３４は、ユーザがサーバ端末１に対して登録した希望サービスに対応し、サーバ端末１から送信された表示画面に埋め込まれる検索結果の表示データを記憶するファイルであり、テンプレートファイルからリンクがはられている。
【００４１】
送受信部３５は、インターネット２と接続して、データの送受信を行うもので、特に本発明の特徴的な機能を実現するために、サーバ端末１の証券情報サービスを供給する閲覧サイト（ＵＲＬ）に接続してデータの送受信を行い、またサーバ端末１からのデータ送信、及び電子メール送信を受け付けるものである。
【００４２】
表示用プログラム３６は、ユーザがサーバ端末１に対して登録した希望サービスに対応し、サーバ端末１から送信されて記憶されている表示画面（テンプレート）及び検索結果の表示データを表示制御するプログラムである。
具体的に表示用プログラム３６は、ユーザが表示用ブラウザ３７を介して行う表示要求操作で起動され、表示テンプレートファイル３３に記憶された表示テンプレートに、表示データファイル３４に記憶されたデータを埋めこみ、表示用のＨＴＭＬ形式のファイルを作成して、表示用ブラウザ３７に出力する動作を行う。
【００４３】
表示用ブラウザ３７は、ユーザ操作によってＨＴＭＬ形式のファイルを表示し、また入力されたデータを送受信部３５を介して送信する一般的なＷＷＷブラウザである。
電子メール機能３８は、電子メールの送受信を行う一般的なメーラーである。
【００４４】
次に、本発明の証券情報サービスシステムの動作について、図１、図２を使って説明する。
まず、一般的なサーバ端末１とユーザ端末３とのインターネット２を介した接続動作として、サーバ端末１では、ユーザ端末３からの接続要求に応じ、サーバ端末１にてＨＴＭＬタイプの画面情報が生成され、インターネット２のＷＷＷの仕組みで画面情報がユーザ端末３に送達される。
【００４５】
ユーザ端末３側では、その画像情報を表示し、画面上で所要の情報が入力されると、入力されたデータはユーザ端末３からサーバ端末１に送られ、サーバ端末１では、受信した情報に従って、ユーザ情報データベース１１及び証券情報データベース１２等を参照し、次の画面情報を作成してユーザ端末３に送信するようになっている。
【００４６】
本発明の証券情報サービスシステムの特徴的な動作の概略は、まず、ユーザ側からのアクションとして、ユーザ端末３からユーザを登録する「ユーザ登録」を行い、ユーザ毎に注目銘柄やニュースのキーワード等の希望するサービス条件を登録する「サービス条件登録」を行っておく。
【００４７】
すると、サーバ端末１では、希望サービス条件に合致する証券情報をユーザ端末３に送信する「表示データ送信」、又は、希望サービス条件に合致した場合、ユーザに通知メールを送信する「通知メール送信」を行う。
【００４８】
ユーザは、適宜、又は通知メールを受信して、注目している銘柄などの変化を察知して、「証券情報表示」を行うようになっている。
【００４９】
そして、サーバ端末１では、ユーザ端末３から行われたユーザ登録の情報及びサービス条件登録の情報を管理し、有効期限切れやアクセスのないユーザに関する処理としてユーザ情報管理処理」を行っている。
【００５０】
次に、本発明の証券情報サービスシステムの詳細動作について説明する。
まず、本発明の証券情報サービスを受ける権利を得るために、当該サービスを希望するユーザが、「ユーザ登録」を行う。
具体的には、ユーザはユーザ端末３において、表示用ブラウザ３７を起動し、送受信部３５を介してインターネット２に接続し、インターネット２を介して、サーバ端末１の証券情報サービスを供給する閲覧サイト（ホームページ）のＵＲＬを入力し、サーバ端末１の送受信部１５を介して証券情報サービスサーバ１７に接続する。
【００５１】
すると、サーバ端末１では、証券情報サービスサーバ１７の動作によって、ユーザ登録用の画面のＨＴＭＬ表示形式のファイルが送受信部１５及びインターネット２を介してユーザ端末３に送信されて、ユーザ端末３で送受信部３５を介して受信されたユーザ登録画面のＨＴＭＬファイルが表示用ブラウザ３７で表示される。
【００５２】
ユーザ端末３から、ユーザの識別情報として、図２に示したユーザＩＤ、ユーザ名、パスワード、メールアドレス、表示テンプレート作成種別等を入力して「ユーザ登録」を指示するボタンなどを選択すると、入力されたデータが、サーバ端末１に送信される。
サーバ端末１では、証券情報サービスサーバ１７が、受信したユーザ情報とユーザ端末３を認識するクッキー情報をチェックし、問題が無いと判断した場合には当該ユーザを認証し、ユーザＩＤをキーとしてユーザ情報データベース１１に登録し、管理ＩＤ、クッキー情報、アクセス履歴などをユーザ情報データベース１１に格納する。
尚、ユーザＩＤをサーバ端末１とユーザ端末３との間でデータの送受信を行う際のネットワーク識別子として使用しても良いし、ユーザＩＤにネットワーク識別子を関連付けて管理しておくようにしても良い。
【００５３】
上記一連の動作によって、認定された任意のユーザは証券情報サービスを受ける権利を有することになる。
また、以降ユーザ端末３からサーバ端末１に接続して各種操作を行う際には、ユーザ端末３からのログイン操作（ユーザＩＤ、パスワード入力）に応じて、上記登録したユーザＩＤとパスワードの認証を行い、ログインの可否が判別される。
【００５４】
次に、ユーザ登録が為されているユーザが、個別に注目銘柄やニュースのキーワード等の希望するサービス条件を登録する「サービス条件登録」を行う。
具体的には、「ユーザ登録」の場合と同様に、ユーザがユーザ端末３からインターネット２を介してサーバ端末１の証券情報サービスサーバ１７に接続し、ユーザ登録した直後か、又はユーザＩＤとパスワード入力によってログインした状態で、「サービス条件登録」を指定すると、希望サービス登録用の画面のＨＴＭＬ表示形式のファイルがユーザ端末３に送信されて、ユーザ端末３で希望サービス登録画面が表示される。
【００５５】
ユーザ端末３から、希望サービスの登録情報として、図２に示した株式、指標、投信、ニュース等の分類と、銘柄名やキーワード等の検索条件に相当する検索キーと、銘柄コードと、高い方と安い方の通知価格設定値と、当該登録情報の有効期限と、メール通知識別子等を入力すると、入力されたデータが、サーバ端末１に送信され、証券情報サービスサーバ１７の動作で希望サービスの登録情報がユーザ情報データベース１１に登録される。
【００５６】
具体的には、銘柄登録の場合、証券情報から閲覧したい株式、指標、投信の分類と、指定銘柄の銘柄名や銘柄コードを登録し、もし売買価格の値動きの監視も希望する場合には、通知価格設定値（高・安）を設定し、メール通知を希望するか否かのメール通知識別を登録する。
【００５７】
また、キーワード登録の場合には、証券情報から閲覧したいニュースの分類と、指定キーワードとを登録する。
尚、本発明の特徴として、それぞれのサービス条件登録情報に対する有効期間を設定して登録するようになっている。
【００５８】
そして、サーバ端末１の証券情報サービスサーバ１７では、登録されたサービス条件登録情報の分類及び検索キーに従い、登録された項目を表示するための表示用のテンプレートを作成又は、予め用意しているものから選択し、表示テンプレートファイル１３に格納すると共にユーザ端末３に送信し、ユーザ端末３では、送受信部３５が受信して、表示テンプレートファイル３３に格納される。
【００５９】
また、証券情報サービスサーバ１７では、登録されたサービス条件登録情報の分類及び検索キーに従い、証券情報データベース１２を検索して、現時点での検索結果のデータを作成して表示データファイル１４に格納すると共にユーザ端末３に送信し、ユーザ端末３では、送受信部３５が受信して、表示データファイル３４に格納される。
【００６０】
希望するサービス条件の登録が複数ある場合には、上記一連の動作を繰り返し、サーバ端末１上ではユーザ毎に管理されて、ユーザ情報データベース１１及び表示テンプレートファイル１３及び表示データファイル１４に各サービス条件に対応するデータが格納されてゆき、それと共に、希望サービスを登録したユーザ端末３では、表示テンプレートファイル３３と表示データファイル３４に受信した各データが格納されていく。
【００６１】
また、複数指定したサービス条件に対して１つの表示テンプレートとし、一覧表示のようなサービスとしても良い。
【００６２】
この時、もし、ユーザによって、表示用ブラウザ３７から表示用プログラム３６が起動されると、表示テンプレートファイル３３に記憶されている表示画面フォーマットに、表示データファイル３４に記憶されている検索結果のデータがはめ込まれて表示用のＨＴＭＬファイルが作成され、表示用ブラウザ３７で表示されることになる。
【００６３】
さて、サーバ端末１では、専用回線、又はインターネット接続された外部のセンタや他の端末から配信される証券情報を、証券情報受信サーバ１６がリアルタイムに取得して、証券情報データベース１２に格納すると共に、証券情報サービスサーバ１７に出力する。
【００６４】
そして、サーバ端末１の「表示データ送信」の動作として、証券情報サービスサーバ１７では、証券情報受信サーバ１６からのリアル受信された証券情報について、ユーザ情報データベース１１に登録されている各ユーザの検索キーで監視し、ヒットする証券情報であった場合にはその都度、該当検索キーを登録しているユーザの表示データファイル１４を更新すると共にユーザ端末３宛（例えば、ユーザＩＤ、ネットワーク識別子など宛）に更新された表示データファイルを送信し、ユーザ端末３では、送受信部３５が受信して、表示データファイル３４に格納されて更新される。
【００６５】
尚、この時に、表示用のテンプレートに変更が発生した場合には、変更された表示テンプレートファイルが表示テンプレートファイル１３に記憶されると共に、ユーザ端末３に送信されて表示テンプレートファイル３３に記憶される。
【００６６】
また、サーバ端末１の「通知メール送信」の動作として、証券情報サービスサーバ１７では、証券情報受信サーバ１６からのリアル受信された証券情報について、ユーザ情報データベース１１に登録されている各ユーザの通知メール送信条件で監視し、ヒットする証券情報であった場合にはその都度、該当検索キーを登録しているユーザのメールアドレスに対する通知メールを作成し、当該メールを電子メールサーバ１８に出力してメールを送信させるようになっている。
【００６７】
そして、サーバ端末１の証券情報サービスサーバ１７に対して「サービス条件登録」を行ったユーザは、適宜、又はサーバ端末１から送信された通知メールを受信して、注目している銘柄などの変化を察知したような場合に、「証券情報表示」の動作として、ユーザ端末３において、表示用ブラウザ３７が起動され、表示用プログラム３６の格納場所を指定することによって表示用プログラム３６が起動される。
【００６８】
表示用プログラム３６では、表示テンプレートファイル３３に記憶された表示テンプレートに、リンクがはられている表示データファイル３４に記憶されたデータを埋めこみ、表示用のＨＴＭＬ形式のファイルを作成して表示用ブラウザ３７に出力し、表示用ブラウザ３７でＨＴＭＬ形式のファイルが解釈されて表示されるようになっている。
【００６９】
そして、サーバ端末１の証券情報サービスサーバ１７では、「ユーザ情報管理処理」の動作として、ユーザ情報データベース１１に記憶されているユーザ登録情報ファイル中の、各ユーザのサービス条件登録情報の中の有効期限を監視し、有効期限を経過したサービス条件登録情報については、ユーザ情報データベース１１から削除され、更に削除したサービス条件に関連する表示テンプレートファイル１３及び表示データファイル１４についても削除するようになっている。
【００７０】
また、サーバ端末１の証券情報サービスサーバ１７では、ユーザ情報データベース１１に管理記憶されているユーザ毎に、アクセス履歴、特に最終アクセス日時を記録することにより、最終アクセス日から予め定めた期間を過ぎた場合に、証券情報サービスを利用しなくなったと判断して、当該ユーザについてはユーザ登録情報をユーザ情報データベース１１から削除して、サービスを受ける権利を抹消する。
【００７１】
この時アクセス履歴には、ユーザ端末３からのアクセスだけでなく、サーバ端末１でサービス条件の合致により表示データを送信したり、通知メールを送信したり、また上記説明したサービス条件登録情報の中の有効期限経過によるサービス条件登録情報削除を行ったような場合にも履歴として残すようにする。
また、最終アクセス日から予め定めた期間を過ぎた場合場合であっても、当該ユーザのサービス条件登録情報が残っている場合には、ユーザ登録情報の削除は行わないこととする。
【００７２】
尚、上記サービス条件毎の登録削除や最終アクセス日からの判断によるユーザ登録抹消を行った場合には、当該ユーザ端末に電子メール等の手段を使って登録削除の確認又は通知を行うようにしてもよい。
また、ユーザ端末３からサーバ端末１に接続し、ユーザ登録内容の確認や、ユーザ自身の操作による登録削除も可能とする。
【００７３】
本発明の実施の形態に係る証券情報サービスシステムによれば、ユーザ端末３から希望するサービス条件を登録すると、それに従って、サーバ端末１が表示用のテンプレートファイルと表示データとをユーザ端末３に送信して表示テンプレートファイル３３及び表示データファイル３４に記憶しておき、サーバ端末１で外部から受信した証券情報の中にサービス条件に合致する情報があった場合には、当該ユーザ端末３に更新された表示データ、又は表示データ中の更新データのみを送信して、リアルタイムにユーザ端末３の表示データファイル３４を更新しておくので、サーバ端末１からユーザ端末３に対して、少ない伝送量でリアルタイムな証券情報をユーザ端末３に提供できる効果がある。
【００７４】
そして、本発明の証券情報サービスシステムでは、ユーザ端末３で証券情報の表示操作を行うと、表示用プログラム３６が表示テンプレートファイル３３に記憶しているテンプレートに表示データファイル３４の表示データを埋め込んで表示用のＨＴＭＬファイルを作成し、表示用ブラウザ３７で表示しているので、ユーザが証券情報を表示しようとした時に、インターネット２を介してサーバ端末１に接続する必要が無く、自己の記憶部内に記憶されたデータでリアルタイムな証券情報を表示できる効果がある。
【００７５】
この時、例えば、インターネット２への接続に時間がかかるとか、サーバ端末１への回線が込み合って接続できない、或いは接続に時間がかかるといった、ネットワークやサーバ端末１のサービス状況に影響されるような事態が回避できて、効率よく証券情報を表示できる効果がある。
【００７６】
また、ユーザが例えば複数の銘柄コードについて情報サービスを受けたい場合に、サービス条件を予め登録しておくと、従来のように１つ１つの銘柄コードについて閲覧の指示操作を繰り返し行って画面遷移を繰り返すことなく、登録しておいた複数銘柄コードについての証券情報を少ない操作及び画面遷移で短時間に表示することができる効果がある。
【００７７】
また、予め閲覧したい登録銘柄に関する証券情報を抽出した一覧表示画面も作成できるため、ユーザ毎にカスタマイズされたサービスを提供できる効果がある。
【００７８】
サーバ端末１の証券情報サービスサーバ１７としては、ユーザによって予め登録されているサービス条件に合致する証券情報が発生した時に、ユーザ端末３に対して、サーバ端末１主導で、更新された表示データの送信を行うので、ユーザ端末３からのアクセスが集中することなく、データ送信のための負荷が調整され、アクセス集中によるレスポンスの遅れによるサービス低下を引き起こすことが無く、証券情報サービスシステム全体としてのサービス向上を図ることができる効果がある。
【００７９】
また、サービス条件に合致する証券情報が発生した時に、サーバ端末１からユーザ端末３に送信するデータは表示テンプレートを除く、表示データ部分のみであるため、従来閲覧の際に表示テンプレートと表示データの両方を送信していたのに比べて送信するデータ量が少なく、データ送信及びユーザ端末３における更新にかかる時間が短くなり、データ配信効率を向上できる効果がある。
また、サーバ端末１からユーザ端末３に送信するデータを表示データ中の変更部分のみとすれば、更に送信するデータ量を少なくでき、効果は増大する。
【００８０】
また、ユーザによって予め登録されているサービス条件で、通知メールの送信条件が設定されていると、サーバ端末１の証券情報サービスサーバ１７が、通知メールの送信条件の合致する事態が発生したときに、当該サービス条件を登録したユーザのメールアドレス宛にメールを送信するので、確実にユーザに対して、注目している銘柄などの証券情報の変化を通知することができる効果がある。
【００８１】
そして、本発明の証券情報サービスシステムの特徴部分として、各ユーザがサービス条件を登録する際に有効期限（有効期間）を入力し、サーバ端末１ではサービス条件登録情報毎に有効期限をユーザ情報データベース１１に記憶して管理し、有効期限に達したサービス条件登録情報をユーザ情報データベース１１から削除すると共に、それに関する表示テンプレートファイル１３及び表示データファイル１４を削除するので、ユーザ情報データベース１１及びテンプレートファイル１３及び表示データファイル１４を記憶する記憶部（メモリ）の使用量を抑えて効率よくサービスを提供できる効果がある。
【００８２】
また、同様に、各ユーザの識別情報中にアクセス履歴、特に最終アクセス日時を記憶して管理し、予め定めた期間アクセスが無く、サービス条件登録情報も削除されて無くなっているユーザに関して、そのユーザ情報をユーザ情報データベース１１から削除するので、ユーザ情報データベース１１の使用量を抑えて効率よくサービスを提供できる効果がある。
【００８３】
また、サーバ端末１では、登録ユーザに関する識別情報やサービス条件情報をユーザ情報データベース１１に記憶して集中管理するので、ユーザ毎にカスタマイズされたきめ細やかなサービスを行うことができる効果がある。
【００８４】
【発明の効果】
本発明によれば、ユーザ端末が、希望するサービス条件を入力して証券情報サービス装置に送信し、証券情報サービス装置が、証券情報を記憶する証券情報データベースと、ユーザに関する認識情報及び前記ユーザ毎に登録された希望するサービス条件に関する登録情報をユーザ登録情報として記憶するユーザ情報データベースとを備え、任意のユーザ端末から希望するサービス条件を受け付けてユーザ情報データベースに記憶すると共に、表示画面のテンプレートを作成してユーザ端末に送信し、サービス条件に合致した証券情報をユーザ情報データベースから取得して、表示データとしてユーザ端末に送信し、ユーザ端末が証券情報サービス装置から送信された表示画面のテンプレートと表示データを受信して記憶し、証券情報サービス装置が、証券情報を外部から取得する際に、サービス条件に合致する証券情報を取得する度に表示データの更新情報をユーザ端末に送信し、ユーザ端末が表示データの更新情報を受信して表示データを更新記憶し、証券情報サービスの表示を行う際には、記憶されている表示画面のテンプレートに表示データを組み込んで表示する証券情報サービスシステムとしているので、予め登録されたサービス条件に関する証券情報を効率よく提供してユーザ端末に表示できる効果がある。
【００８５】
本発明によれば、ユーザ端末が、希望するサービス条件を有効期間と共に入力し、証券情報サービス装置が、サービス条件を有効期間に基づく有効期限と共に管理し、有効期限に達したサービス条件をユーザ情報データベースから削除し、またユーザ毎にアクセスの履歴を保持し、最後のアクセスから予め定めた特定期間を経過したユーザについて、ユーザ登録情報をユーザ情報データベースから削除するものなので、証券情報サービスシステムのメモリ容量を抑え、効率よく情報を提供できる効果がある。
【図面の簡単な説明】
【図１】本発明の実施の形態に係る証券情報サービスシステムの概略構成ブロック図である。
【図２】本発明のユーザ登録情報ファイルの記憶内容例を示すフォーマット図である。
【符号の説明】
１…サーバ端末、　２…インターネット、　３…ユーザ端末、　１１…ユーザ情報データベース、　１２…証券情報データベース、　１３…表示テンプレートファイル、　１４…表示データファイル、　１５…送受信部、　１６…証券情報受信サーバ、　１７…証券情報サービスサーバ、　１８…電子メールサーバ、　３３…表示テンプレートファイル、　３４…表示データファイル、　３５…送受信部、　３６…表示用プログラム、　３７…表示用ブラウザ、　３８…電子メール機能
【図１】
2004118333.tif 000003
【図２】
2004118333.tif 000004